(57)【要約】【課題】  小型軽量で簡単な構造の携帯式原稿台を求める。それも保持した原稿が風などの影響を受けないように保持手段を持ち、経済性と操作性に優れたものとする。【解決手段】  対にした孔４を複数、同列上に配置した基台２と、この対毎の孔４にその両端部を挿入して連結する複数の半円状用紙ガイド５で原稿台１を構成する。前記用紙ガイド５はバネ材で異なるサイズとし、しかも基台２表面に対する連結角度θが用紙ガイド５ごとに異なるようにする。このような基台２上の用紙ガイド５間に必要とする原稿７を設置収容して用紙ガイド５による圧力が原稿１に加えられるようにした。この原稿台１を携帯するきは基台２と用紙ガイド５を分解するか、基台２上で折りたたむようにする。【選択図】図３
0003128533.tif 000002
【実用新案登録請求の範囲】
【請求項１】
半円状に形成した用紙ガイドの両端部が挿入される孔を対にして円弧状に複数配置した基台と、この円弧状の孔に対してその両端部が着脱自在に挿入されるバネ材で形成した複数の前記用紙ガイド、とで構成され、前記円弧状の孔は、用紙ガイドが挿入されて基台と用紙ガイドを連結したとき、基台表面に対する用紙ガイド毎の取り付け角度が夫々変化するよう予め角度差を持って設けられ、前記用紙ガイドの夫々は、基台と連結されたとき隣接するもの同士でその両端部間距離と基台表面からの高さ方向に差がつくよう予め選択して形成され、隣接する用紙ガイド間に原稿を設置収容したとき、孔の円弧状配置と角度差、用紙ガイドのサイズ差によって生じる原稿への圧力を原稿の保持力とするようにしたことを特徴とする原稿台。
【請求項２】
用紙ガイドの両端部が着脱自在に挿入される複数の孔を円弧状に複数列配置し、各列の孔は夫々の列毎に用紙ガイドの取り付け角度が変化するよう予め角度差を持って設けた基台としたことを特徴とする前記請求項１記載の原稿台。
【請求項３】
基台表面に円弧状の溝を配し、この溝内に用紙ガイド両端部挿入用の孔を配置して用紙ガイドと基台を連結し、この溝に沿って原稿を用紙ガイド間に設置収容したとき、円弧状の溝によって生じる原稿への圧力を原稿の保持力とするようにしたことを特徴とする前記請求項１、２記載の原稿台。
【請求項４】
用紙ガイドを異種形状としたことを特徴とする前記請求項１記載の原稿台。
【請求項５】
左右の側面に夫々対として複数設けた用紙ガイド両端部挿入用の孔と、この孔ごとに対応して位置づけられた用紙ガイド受け面とを設けた基台と、前記対を成す側面孔毎にその両端部が挿入されて基台に取り付けられたとき、基台面上で回転して折りたたみ自在となるバネ材で形成した半円状の前記用紙ガイド、とで構成され、前記対をなす受け面の夫々はその面角度が対毎に変化するよう予め角度差を持って設けられ、前記用紙ガイドの夫々は、基台と連結されたとき隣接するもの同士でその両端部間距離と基台表面からの高さ方向に差がつくよう予め選択して形成され、隣接する用紙ガイド間に原稿を設置収容したとき、用紙ガイド受け面によって与えられる用紙ガイドの角度差と、用紙ガイドのサイズ差によって生じる原稿への圧力を原稿の保持力とするようにしたことを特徴とする原稿台。
【請求項６】
対とした複数の用紙ガイド両端部挿入用の孔をその左右側面に、この左右の対となる孔同士間を結ぶ円弧状の溝をその表面に設けた基台に用紙ガイドを連結し、前記円弧状溝に沿って原稿を用紙ガイド間に設置収容したとき、円弧状の溝よって生じる原稿への圧力を原稿の保持力とするようにしたことを特徴とする前記請求項５記載の原稿台。
【請求項７】
用紙ガイドの端部挿入用の孔と、この孔と対応して位置づけられる用紙ガイド受け面とを設けた用紙ガイド取り付け片を、左右で勝手違いの対として複数、その表面に取り付けた基台としたことを特徴とする前記請求項５記載の原稿台。
【請求項８】
半円状に形成した用紙ガイドの両端部が挿入される一対の孔を、用紙ガイド受け面に設けた用紙ガイド取り付け片と、この用紙ガイド取り付け片の受け面位置が夫々同じ面側となるようにしてその表面に複数列配置した基台と、前記取り付け片ごとの一対の孔に対してその両端部が回転自在に挿入されるバネ材で形成した用紙ガイドとで構成され、前記各取り付け片の用紙ガイド受け面は、連結される用紙ガイドがその面上に位置づけられたとき基台表面に対する用紙ガイドごとの取り付け角度が変化するよう予め角度差を持って設けられ、前記各用紙ガイドは基台と連結されたとき隣接するもの同士でその両端部間の距離と基台表面からの高さ方向に差がつくよう予め選択して形成され、隣接する用紙ガイド間に原稿を設置収容したとき、用紙ガイド受け面によって与えられる用紙ガイドの角度差と、用紙ガイドのサイズ差によって生じる原稿への圧力を原稿の保持力とするようにしたことを特徴とする原稿台。
【考案の詳細な説明】
【技術分野】
【０００１】  本考案は原稿を保持する原稿台に関するもので、特に携帯式としたことを特徴とする。
【背景技術】
【０００２】  近年、文章作成の機械化、通信化は大きく発展し、一般に広く普及している。その手段の代表的なものはパソコンや携帯電話で、一人１台のパーソナル化だけでなく、何処にでも持ち運べるようになっている。そのため文章化する場所や、文章を発信したり受信したりする場所は限りなく拡がり、必要なときに必要な場所から制限を受けることなく操作できるようになってきている。ところが文章化する原稿やメモ類を保持し、操作する人の目視を容易にするための手段、具体的には原稿台についてはこれまであまり省みられていない。【０００３】  文章作成を機械化する手段のうち、一般的なものはこれまでタイプライタ、ワードプロセッサ、写真植字機などが知られている。これら機器においても原稿やメモ類を保持し、操作するオペレータの目視を容易にするための原稿台が用意されている。この原稿台は、例えば特許文献１のようなものであり、前記各機器に１つずつ取り付けられ専用の原稿台として利用されている。しかしこれらの原稿台は文書作成機に付属して設置されていて、可搬あるいは携帯というようなことは想定されていない。そのため全体として大型で頑丈な構造となっていて、可搬あるいは携帯を前提としている現在の文書作成機や文書通信機用の原稿台としては不適である。
【特許文献１】特開平１１−１８４５６４号公報
【考案の開示】
【考案が解決しようとする課題】
【０００４】  従って本考案の課題は、携帯式文書作成機や通信機用の原稿台として利用できる小型軽量で簡単な構造の携帯式原稿台を求めることである。そして文書作成機や通信機を操作するオペレータがどのような場所であっても、この原稿台によって原稿やメモ類を容易に目視確認できるようにすることである。そしてさらにこの原稿台は、保持した原稿を風などの影響から守るための保持手段を併せ持ったものとすることである。これらによって原稿台全体の経済性と携帯時の環境を向上できるようにすることである。
【課題を解決するための手段】
【０００５】  上記課題を解決するため本考案は、半円状に形成した用紙ガイドの両端部が挿入される孔を対にして円弧状に複数配置した基台と、この円弧状の孔に対してその両端部が着脱自在に挿入されるバネ材で形成した複数の前記用紙ガイド、とで構成され、前記円弧状の孔は、用紙ガイドが挿入されて基台と用紙ガイドを連結したとき、基台表面に対する用紙ガイド毎の取り付け角度が夫々変化するよう予め角度差を持って設けられ、前記用紙ガイドの夫々は、基台と連結されたとき隣接するもの同士でその両端部間距離と基台表面からの高さ方向に差がつくよう予め選択して形成され、隣接する用紙ガイド間に原稿を設置収容したとき、孔の円弧状配置と角度差、用紙ガイドのサイズ差によって生じる原稿への圧力を原稿の保持力とするようにしたことを特徴とする。
請求項２の考案によるものは前記請求項１記載の原稿台において、用紙ガイドの両端部が着脱自在に挿入される複数の孔を円弧状に複数列配置し、各列の孔は夫々の列毎に用紙ガイドの取り付け角度が変化するよう予め角度差を持って設けた基台としたことを特徴とする。
請求項３の考案によるものは前記請求項１、２記載の原稿台において、基台表面に円弧状の溝を配し、この溝内に用紙ガイド両端部挿入用の孔を配置して用紙ガイドと基台を連結し、この溝に沿って原稿を用紙ガイド間に設置収容したとき、円弧状の溝によって生じる原稿への圧力を原稿の保持力とするようにしたことを特徴とする。
請求項４の考案によるものは前記請求項１記載の原稿台において、用紙ガイドを異種形状としたことを特徴とする。
請求項５の考案によるものは、左右の側面に夫々対として複数設けた用紙ガイド両端部挿入用の孔と、この孔ごとに対応して位置づけられた用紙ガイド受け面とを設けた基台と、前記対を成す側面孔毎にその両端部が挿入されて基台に取り付けられたとき、基台面上で回転して折りたたみ自在となるバネ材で形成した半円状の前記用紙ガイド、とで構成され、前記各対をなす受け面はその面角度が対毎に変化するよう予め角度差を持って設けられ、前記用紙ガイドの夫々は、基台と連結されたとき隣接するもの同士でその両端部間距離と基台表面からの高さ方向に差がつくよう予め選択して形成され、隣接する用紙ガイド間に原稿を設置収容したとき、用紙ガイド受け面によって与えられる用紙ガイドの角度差と、用紙ガイドのサイズ差によって生じる原稿への圧力を原稿の保持力とするようにしたことを特徴とする。
前記請求項５記載の原稿台において、対とした複数の用紙ガイド両端部挿入用の孔をその左右側面に、この左右の対となる孔同士間を結ぶ円弧状の溝をその表面に設けた基台に用紙ガイドを連結し、前記円弧状溝に沿って原稿を用紙ガイド間に設置収容したとき、円弧状の溝よって生じる原稿への圧力を原稿の保持力とするようにしたことを特徴とする。
請求項７の考案によるものは前記請求項５記載の原稿台において、用紙ガイドの端部挿入用の孔と、この孔と対応して位置づけられる用紙ガイド受け面とを設けた用紙ガイド取り付け片を、左右で勝手違いの対として複数、その表面に取り付けた基台としたことを特徴とする。
請求項８の考案によるものは、半円状に形成した用紙ガイドの両端部が挿入される一対の孔を、用紙ガイド受け面に設けた用紙ガイド取り付け片と、この用紙ガイド取り付け片の受け面位置が夫々同じ面側となるようにしてその表面に複数列配置した基台と、前記取り付け片ごとの一対の孔に対してその両端部が回転自在に挿入されるバネ材で形成した用紙ガイドとで構成され、前記各取り付け片の用紙ガイド受け面は、連結される用紙ガイドがその面上に位置づけられたとき基台表面に対する用紙ガイドごとの取り付け角度が変化するよう予め角度差を持って設けられ、前記各用紙ガイドは基台と連結されたとき隣接するもの同士でその両端部間の距離と基台表面からの高さ方向に差がつくよう予め選択して形成され、隣接する用紙ガイド間に原稿を設置収容したとき、用紙ガイド受け面によって与えられる用紙ガイドの角度差と、用紙ガイドのサイズ差によって生じる原稿への圧力を原稿の保持力とするようにしたことを特徴とする。
【考案の効果】
【０００６】  本考案は基台と用紙ガイドという２つの主たる構成要素で原稿台を構成する。それも原稿台の前記構成要素はその要素自身がそのまま原稿を挟持し、保持手段として働くようにしたから、構造簡単で小型軽量なものとすることが出来る。そしてこの原稿台はどのような場所であっても保持した原稿を風などの影響から防ぐことが出来るだけでなく、携帯時には原稿台を容易に分解し、或いは折りたためるようにしたから、携帯時のコンパクト化を一層進めて携帯時の環境を向上することが出来る。また使用時には簡単に組み立てられるから取り扱い性にも優れており、経済的な原稿台とすることが出来る。
【考案を実施するための最良の形態】
【０００７】  まず本考案の原稿台についてその概要を説明する。本考案の原稿台は基台と、この基台に対し着脱自在、あるいは折りたたみ自在として取り付けられる用紙ガイドという２つの主たる要素で構成される。基台はその平面サイズが例えば７ｃｍ×５ｃｍ、厚さが１ｃｍ程度の小型であり、木材、金属（鉄、アルミ）、石材、合成樹脂などで設けられる。この基台表面に取り付けられる半円状の用紙ガイドは、ピアノ線や線状のプラスチックなどバネ材で形成され、それが複数個基台に取り付けられて原稿台となる。半円状用紙ガイドの形状は任意のものを採用でき、その大きさは例えば基台表面から高さ方向に４ｃｍから８ｃｍ程度である。
オペレータがパソコンなどを用いて文章を作成するときは原稿台を組み立て、その用紙ガイド間に必要とする原稿やメモ類を設置収容する。このとき原稿台の構成要素である基台と用紙ガイドによって原稿には圧力が加えられ、この圧力が原稿の張力となって目視確認が容易となり、原稿台に保持する力となる。こうして保持された原稿を目視確認しながら文章作成機や通信機などを操作すれば、どのような場所であっても入力作業を進めることが出来る。以下に本考案による原稿台について実施例に基づいて説明する。
【実施例１】
【０００８】  図１は原稿台１の説明図で、Ａは全体を示す斜視略図、Ｂは基台２の平面図、Ｃは原稿台１の説明用側面図である。図において基台２は前記のように金属や石材で形成され、その表面には任意半径ｒの円弧状溝３が設けられている。この溝３内には対を成す孔４が複数個、溝３に沿って配置される。例えば図Ｂでは、孔４ａ１と４ａ２、４ｂ１と４ｂ２、４ｃ１と４ｃ２は対を成していて、この対が３つ溝３内に設けられた例となっている。この対を成す各孔４には半円状のバネ材で形成した用紙ガイド５の両端部が挿入され、基台２と用紙ガイド５が連結される。図Ａでは３つの用紙ガイド５ａ、５ｂ、５ｃが基台２と連結された状態となっていて、最内側に位置する用紙ガイド５ａは図Ｂの孔４ａ１、４ａ２にその両端部が挿入され、用紙ガイド５ｂは図Ｂの孔４ｂ１、４ｂ２にその両端部が挿入され、最外列の用紙ガイド５ｃは図Ｂの孔４ｃ１、４ｃ２にその両端部が挿入されて基台２と連結される。【０００９】  また用紙ガイド５ａ、５ｂ、５ｃは図Ｃに示したように基台２に取り付けられたとき、隣接する同士で基台２表面からの高さ方向に差が生じるよう予め選択して形成される。例えば最外側の孔４ｃ１、４ｃ２に挿入される用紙ガイド５ｃは基台２表面から高さｔ３となっており、用紙ガイド５ｂは基台２表面から高さｔ２となっており、用紙ガイド５ａは基台２表面から高さｔ１となっている（ｔ１＜ｔ２＜ｔ３）。そしてさらにこの用紙ガイド５は基台２と連結したとき、基台表面に対する用紙ガイド毎の取り付け角度が変化するよう準備される。例えば図Ｃにおいて用紙ガイド５ａは基台２表面に対する垂線６からθ１の角度で取り付けられ、用紙ガイド５ｂは基台２表面に対する垂線６からθ２の角度で取り付けられ、用紙ガイド５ｃは垂線６からθ３の角度で取り付けられる（θ１＞θ２＞θ３）。
この基台２表面に対する用紙ガイド５の取り付け角度θの差は孔４によって与えられる。つまり対を成す孔の内、４ａ１、４ａ２は垂線６に対してθ１の角度で基台２に穿たれ、孔４ｂ１、４ｂ２は垂線６に対してθ２の角度で基台２に穿たれ、孔４ｃ１、４ｃ２は垂線６に対してθ３の角度で基台２に穿たれる。従ってこの孔４に用紙ガイド５を挿入して基台２と用紙ガイド５を連結すると、夫々の用紙ガイド５ａ、５ｂ、５ｃは基台２表面に対して異なる角度θ１、θ２、θ３で取り付けられる。【００１０】  図２は用紙ガイド５の説明図である。図において高さｔ１の最内側に位置する半円状用紙ガイド５ａは、孔４ａ１、４ａ２にその端部５ａ１、５ａ２が挿入されて基台２と連結される。高さｔ２の半円状用紙ガイド５ｂは、孔４ｂ１、４ｂ２にその端部５ｂ１、５ｂ２が挿入されて基台２と連結される。そして高さｔ３の半円状用紙ガイド５ｃは、孔４ｃ１、４ｃ２にその端部５ｃ１、５ｃ２が挿入されて基台２と連結される。そして前記した用紙ガイド５ａの両端部５ａ１、５ａ２間の距離は、予め孔４ａ１、４ａ２間の距離Ｌ１よりも長めに作られていて、孔４ａ１、４ａ２に両端部５ａ１、５ａ２を挿入するときは、バネ材の用紙ガイド５両端部５ａ１、５ａ２を圧縮するようにして孔４ａ１、４ａ２に挿入して連結する。用紙ガイド５ｂの両端部５ｂ１、５ｂ２間の距離も孔４ｂ１、４ｂ２間の距離Ｌ２よりも長めに作られていて、孔４ｂ１、４ｂ２に挿入するとき両端部５ｂ１、５ｂ２を圧縮するようにして連結する。用紙ガイド５ｃの両端部５ｃ１、５ｃ２間の距離も、孔４ｃ１、４ｃ２間の距離Ｌ３よりも長めに作られていて、孔４ｃ１、４ｃ２に両端部５ｃ１、５ｃ２を挿入するときは、その両端部を圧縮するようにして連結する。
このように各用紙ガイド５ａ、５ｂ、５ｃは、その両端部を圧縮するようにして各孔４に挿入され基台２と連結される。それによって用紙ガイド５の両端部には圧縮した方向と逆の反発力が発生し、これが基台２との連結力となって取り付けを確たるものとする。【００１１】  上記のようにこの例による用紙ガイド５は、３種のサイズ（高さｔと距離Ｌ）で半円状にバネ材で形成される。そしてこの用紙ガイド５の両端部が夫々角度差θを持って予め設けられた対を成す孔４に挿入されて基台２と連結されて一体化する。【００１２】  図３はこのようにして一体化された原稿台１の隣接する用紙ガイド５間に２枚の原稿７を１枚ずつ設置収容したときの状態を示した説明図である。図において各用紙ガイド５間に原稿７を挿入するには、１枚目の原稿７ａを先ず用紙ガイド５ａと５ｂ間に挿入する。その際、用紙ガイド５ａはθ１の角度で用紙ガイド５ｂ側に傾斜して取り付けられているから、用紙ガイド５ａの先端部を持って基台２の正面側（図３の矢印８と反対方向）に倒し、出来た間隔に１枚目の原稿７ａを挿入する。このとき原稿７ａの下端側が溝３内に設置されるようにして収容することが重要である。次に最外側に位置している用紙ガイド５ｃの先端部を図３の矢印８方向に押して、出来た間隔に２枚目の原稿７ｂを挿入する。このとき前述の場合と同様に原稿７ｂの下端側が溝３内に収容されるように設置収容する。
このようにして２枚の原稿７ａ、７ｂを用紙ガイド５間に設置収容したとき、基台１の正面側から矢印８方向の原稿７を見ると、一番表側には角度θ１で高さがｔ１、両端部間を距離Ｌ１とした用紙ガイド５ａが位置している。そしてこの用紙ガイド５ａの後ろ側には１枚目の原稿７ａが位置し、その後ろ側に角度θ２で高さがｔ２、両端部間を距離Ｌ２とした用紙ガイド５ｂが位置している。そしてこの用紙ガイド５ｂの後ろ側には２枚目の原稿７ｂが位置し、その後ろ側に角度θ３で高さがｔ３、両端部間を距離Ｌ３とした用紙ガイド５ｃが位置している。それによって１枚目の原稿７ａは、用紙ガイド５ｂと用紙ガイド５ａ間で用紙ガイド５ａによるθ１と両用紙ガイドのサイズ差（ｔとＬ）による圧力を受けながら設置収容され、２枚目の原稿７ｂも用紙ガイド５ｃと用紙ガイド５ｂ間で用紙ガイド５ｂによるθ２と両用紙ガイドのサイズ差（ｔとＬ）による圧力を受けながら設置収容される。そして１枚目と２枚目の原稿７ａ、７ｂ全体はθ３の角度と一番大きなサイズの用紙ガイド５ｃで受けられる。【００１３】  図４はこのときの状態を平面図として示したイメージとしての説明図である。図Ａにおいて点線で示した原稿７ａ、７ｂが用紙ガイド５ａ、５ｂと接触する部分では、用紙ガイド５ａ、５ｂの圧力を受けて溝３が持つ円弧よりも外側に押し出されるような状態となる。この押し出す圧力が原稿全体に与える張力となり、原稿台に保持する力となる。この保持力は前記の角度差θによる押し出し圧力だけでなく、用紙ガイド５ａ、５ｂ、５ｃに与えられる両端部間の距離Ｌの差と高さ方向の差ｔ、それに円弧状に配列した孔４によって位置決めされる各用紙ガイド５ａ、５ｂ、５ｃの配列位置の差などによって作り出される。さらに基台２上に設けた溝３による原稿７への変形作用も加えられる。これは溝３自身が孔４の配置と同じ円弧を有しているから、原稿７やメモ類をこの溝３に沿って設置収容すれば原稿７自身も円弧に沿った形に変形する。これが原稿７に対して「こし」や張力となって保持力増強となる。
以上のように２枚の原稿７ａ、７ｂには用紙ガイド５によって与えられる作用と、孔４の円弧状配置によって与えられる作用の合成による圧力が加えられ、それが張力となって基台２上での保持力となる。
尚、図３では原稿７ｂが原稿７ａより右側に大きく偏奇したサイズのものを示してある。従ってもし必要ならばもう１つの原稿台１を用意し、その用意した原稿台で偏奇した部分を保持させるようにしても良い。【００１４】  図４Ｂは円弧状溝３内の孔４配置を変更した時の説明図である。これまでの説明は図１Ｂのように任意半径ｒの円弧状溝３内の、同一円弧上に対をなす孔４を配置するものとなっていた。しかし上記してきた説明で明らかなように原稿７に圧力を加え、その圧力によって保持力を求めるという本願の趣旨からすれば、対を成す孔４ａ、４ｂ、４ｃの夫々は別の円弧上に配置した方がより効果的である。図４Ｂはそのような場合の孔配置を示したもので、孔４ａ１、４ａ２は任意半径ｒ１、孔４ｂ１、４ｂ２は半径ｒ２、孔４ｃ１、４ｃ２は半径ｒ３としてある（ｒ１＞ｒ２＞ｒ３）。このような配置とすれば原稿７への圧力と張力を一層強化出来るから、原稿１枚の厚みや各用紙ガイド間に設置収容する原稿の枚数、原稿の大きさ、原稿の材質、重量などに応じてｒの値を選択すればよい。【００１５】  図５は図１の変形例を示した説明図である。図Ａは正面側を円形状とした基台２ａの表面に図１Ｂの溝３の幅ｗ１より広めとした幅ｗ２の溝３ａを設けた例である。この溝３ａの内部には複数の孔４が円弧状に複数列４０ａ、４０ｂ、４０ｃとしてピッチＬｐ１で配される。このピッチＬｐ１の値は孔４の径より若干大き目としてあれば十分である。そして複数列４０ａ、４０ｂ、４０ｃの孔の内、第１列目４０ａの孔はすべて図１Ｃのθ１の角度で穿たれ、第２列目４０ｂの孔はすべてθ２の角度で穿たれ、第３列目４０ｃの孔はすべてθ３の角度で穿たれる。そして第１列目４０ａの孔には用紙ガイド５ａが対応して取り付けられ、第２列目４０ｂの孔には用紙ガイド５ｂが対応して取り付けられ、第３列目４０ｃの孔には用紙ガイド５ｃが対応して取り付けられる。
このようにこの例では、用紙ガイド５ａ、５ｂ、５ｃごとに対応する列状４０ａ、４０ｂ、４０ｃの孔をもつことになる。そのため同一の列上であればどの孔４であっても同じ角度θが与えられているから、例えば第１列目４０ａの用紙ガイド５ａは正面から見て右寄りにして取り付け、第２列目の用紙ガイド５ｂは左寄りにして取り付け、また３列目の用紙ガイド５ｃは同じ第３列目４０ｃの孔上で２つを取り付けるというように自由度を持たせることが出来る。【００１６】  さらに列４０ａ、４０ｂ、４０ｃ毎の孔は、上記のように列毎に同じ角度θで穿たれているから、用紙ガイド５は図２に示した用紙ガイド両端部挿入用の一対の孔４を結ぶ距離Ｌ１、Ｌ２、Ｌ３のような差を持つことなしに準備することも出来る。このようにすれば一定寸法の両端部とした用紙ガイド５をどの列４０ａ、４０ｂ、４０ｃの孔にも共通して挿入することが出来る。この場合Ｌ１＝Ｌ２＝Ｌ３となるが、隣り合う用紙ガイド５は高さ方向にｔの差が生じるよう配されるので、原稿７に対する圧力はほとんど変化しない。本願ではこのような場合も含めて距離Ｌの差と表現する。
勿論、１つの用紙ガイド５の両端部を孔４に挿入するとき、同一列４０内の孔に挿入するのが原則であるが、例えば一方の端部５ｂ１を２列目４０ｂの孔に、他方の端部５ｂ２を３列目４０ｃの孔に挿入したとしても大きな支障が生じることはない。【００１７】  図５Ｂは、正面側を「山」の字状とした基台２ｂの表面に幅ｗ１とした円弧状の溝３ｂ１、３ｂ２、３ｂ３を設けた例である。この各溝３ｂ１、３ｂ２、３ｂ３の配列ピッチＬｐ２の値は、各溝３ｂ１、３ｂ２、３ｂ３が形成できる程度となっていれば十分である。そして各溝の内部には複数の孔４が溝内部にその円弧に沿って配されるが、第１列目の溝３ｂ１に配される孔４ａはすべて図１Ｃのθ１の角度で穿たれる。そして第２列目の溝３ｂ２に配される孔４ｂはすべて図１Ｃのθ２の角度で穿たれ、第３列目の溝３ｂ３に配される孔４ｃはθ３の角度で穿たれる。そして第１列目の溝３ｂ１の孔４ａには用紙ガイド５ａが対応して取り付けられ、第２列目の溝３ｂ２の孔４ｂには用紙ガイド５ｂが対応して取り付けられ、第３列目の溝３ｂ３の孔４ｃには用紙ガイド５ｃが対応して取り付けられる。
このようにこの例では用紙ガイド５ａ、５ｂ、５ｃ毎に対応する溝３ｂ１、３ｂ２、３ｂ３を持つことになる。そのため図１の例と同じように各溝３ｂ１、３ｂ２、３ｂ３ごとにその円弧を利用しての保持力を原稿７に与えることが出来る。また同一の溝内であればどの孔を使用しても同じ角度θで用紙ガイド５を取り付けることが出来るから、前述の図５Ａと同様に用紙ガイド５は各溝３ｂ１、３ｂ２、３ｂ３で共通して使用することができる。
図５Ｂについてさらに説明すると、３つの溝３ｂ１、３ｂ２、３ｂ３に３つの用紙ガイド５ａ、５ｂ、５ｃを取り付けられる。そして各用紙ガイド開に原稿７ａ、７ｂを１枚ずつ保持させる。すると溝は１つ余計となる。例えば１枚目の原稿７ａを溝３ｂ１に設置収容し、２枚目の原稿７ｂを溝３ｂ２に設置収容したとすれば、もう１つの溝３ｂ３は不用となる。したがって当初より２つの溝だけとした基台２ｂとしておけば問題ないが、１枚目の原稿７ａを２つ目の溝３ｂ２に設置収容して１つ目の用紙ガイド５ａで加圧し、２枚目の原稿７ｂを３つ目の溝３ｂ３に設置収容して２つ目の用紙ガイド５ｂで加圧し保持するようにすることも出来る。【００１８】  図６は半円状用紙ガイド５の各種例を示す説明図で、基台２に取り付けたときの正面図として示してある。図Ａは雲形とした用紙ガイド５で、Ｂは魚型、Ｃはハート型、Ｄは渦巻き型としたものである。またＥは靴下型で片側に偏奇した形状となっていて、原稿を基台２上で片側に偏奇して設置収容するようなときに便利である。このような各種の異種形状とした用紙ガイド５を高さ方向ｔと両端部間の距離Ｌに差を持たせて、それも必要なら色を変えるなどして予め用意しておけば、選択して使用することが出来る。【００１９】  以上のようにこの実施例による原稿台１は、基台２と用紙ガイド５という２つの主たる要素からなり、用紙ガイド５を基台２の孔４に挿入して連結することで構成される。そしてこの構成要素自身がそのまま原稿を挟持し保持手段として働くようになる。連結に際しては孔４に用紙ガイド５を挿入するだけで組み立てられ、孔４から外すことで分解される。したがって原稿台１を携帯するときは基台２と用紙ガイド５を分解して持ち運び、使用時には両者を組み立てるようにすることで携帯時のコンパクト化を一層進めることが出来る。このようにこの例では用紙ガイド５を基台２に対して着脱自在にすることが特徴となっている。
【実施例２】
【００２０】  図７は実施例２の説明図で、Ａは基台２ｃの平面図、Ｂは側面図である。図において基台２ｃの両側面には、用紙ガイド両端部挿入用の孔４ｅ１と４ｅ２、４ｆ１と４ｆ２、４ｇ１と４ｇ２が対として設けられる（図Ｂでは片側の孔４ｅ２、４ｆ２、４ｇ２だけを示してある）。この各孔４が設けられる基台２ｃ側面は階段状に形成され、その左右側面で対となる階段面間の距離をＬ５、Ｌ６、Ｌ７（Ｌ５＜Ｌ６＜Ｌ７）として示してある。階段面に設けた各孔４には後に述べる用紙ガイド５の両端部先端が挿入され、基台２ｃと用紙ガイド５が連結される。連結された各用紙ガイド５は前記側面の孔４を中心として回転自在となるが、この回転を一方側で規制するために用紙ガイド受け面９ｅ、９ｆ、９ｇが側面孔４ごとに対応して設けられる（図Ｂでは各受け面９ｅ、９ｆ、９ｇをその延長線で示してある）。用紙ガイド受け面９が設けられる位置は各側面孔４ｅ、４ｆ、４ｇを設けた階段面と直交する位置の面Ｓｅ、Ｓｆ、Ｓｇ（図７Ａ）であり、両側面同士で各対をなす面Ｓｅ、Ｓｆ、Ｓｇは互いに平行で、同じ面側となるよう配置される。但し、この直交面Ｓとしての用紙ガイド受け面９は、図Ｂにその延長線として示したように各面９ｅ、９ｆ、９ｇで異なる角度θが与えられる。例えば１番目の対を成す左右の受け面９ｅ（直交面Ｓｅ）は基台２ｃ表面に対する垂線６からθ１の角度を持ち、２番目の対を成す左右の受け面９ｆ（直交面Ｓｆ）は基台２ｃ表面に対する垂線６からθ２の角度を持ち、３番目の対を成す受け面９ｇ（直交面Ｓｇ）は基台２ｃ表面に対する垂線６からθ３の角度を持って構成される。そのため各側面孔４ｅ、４ｆ、４ｇに用紙ガイド５ｅ、５ｆ、５ｇを挿入して基台２ｃと連結し、用紙ガイド受け面９ｅ、９ｆ、９ｇで用紙ガイド５の位置を規定したとすれば、各用紙ガイド５ｅ、５ｆ、５ｇは基台２ｃ表面に対して夫々θ１、θ２、θ３の角度で取り付けられたようになる（θ１＜θ２＜θ３）。
また基台２ｃの表面には任意半径の円弧状溝３ｅ１、３ｅ２が任意ピッチＬｐ２で設けられる。この溝３ｅ１、３ｅ２の目的は、図５Ｂの溝３ｂ１、３ｂ２、３ｂ３と同じであるが、溝の内部には孔４が設けられていない。また基台２ｃの表面には用紙ガイド収容部１０が設けられるが、これについては後に説明する。【００２１】  上記のようにこの実施例では図７Ａのように側面孔４の設けられる階段面と、それに直交する受け面９とが階段状に形成される。そして側面孔はこの図の階段面右側から順に４ｅ、４ｆ、４ｇと穿たれる。【００２２】  図８は用紙ガイド５ｅ、５ｆ、５ｇの説明図である。半円状の各用紙ガイド５は、その両端部先端がほぼ９０度に折り曲げられ、基台２ｃの各側面孔４ｅ、４ｆ、４ｇに挿入され回転軸となる。例えば１番目に位置する用紙ガイド５ｅの両端部５ｅ１、５ｅ２は、１番目に位置する側面孔４ｅ１、４ｅ２に挿入されて連結される。２番目に位置する用紙ガイド５ｆの両端部５ｆ１、５ｆ２は、２番目に位置する側面孔４ｆ１、４ｆ２に挿入されて連結される。３番目に位置する用紙ガイド５ｇの両端部５ｇ１、５ｇ２は、３番目の側面孔４ｇ１、４ｇ２に挿入されて連結される。このように連結される用紙ガイド５のうち、１番目用紙ガイド５ｅの両端部５ｅ１、５ｅ２間の距離は、予め側面孔４ｅ１、４ｅ２間の距離Ｌ５よりも短めに作られていて、側面孔４ｅ１、４ｅ２に両端部５ｅ１、５ｅ２を挿入するときは、両端部５ｅ１、５ｅ２を押し拡げるようにして挿入する。２番目の用紙ガイド５ｆ両端部５ｆ１、５ｆ２間の距離も予め側面孔４ｆ１、４ｆ２間の距離Ｌ６よりも短めに作られていて、側面孔４ｆ１、４ｆ２に両端部５ｆ１、５ｆ２を挿入するときは、両端部５ｆ１、５ｆ２を押し拡げるようにして挿入する。用紙ガイド５ｇの両端部５ｇ１、５ｇ２間の距離も同様に、予め側面孔４ｇ１、４ｇ２間の距離Ｌ７よりも短めに作られていて、側面孔４ｇ１、４ｇ２に両端部５ｇ１、５ｇ２を挿入するときは、両端部５ｇ１、５ｇ２を押し拡げるようにして挿入する。
このように各用紙ガイド５ｅ、５ｆ、５ｇは、その両端部を押し拡げるようにして各側面孔４ｅ、４ｆ、４ｇに挿入して基台２ｃと連結する。それによって用紙ガイド５の両端部は押し拡げられて拡張した方向とは逆方向の反発力が発生し、これが基台２ｃに対する圧力となって用紙ガイド５の連結力となる。またこの反発力は各用紙ガイド５が孔４に挿入されて両端部を軸として回転したとき、階段面と接触することで回転の制動力となって作用する。【００２３】  図９は用紙ガイド５と、用紙ガイド５の位置を規定する用紙ガイド受け面９の説明図で、そのＡは図７Ｂの一部拡大図でおる。基台２ｃに取り付けられた各用紙ガイド５は、図１Ｃと同じように隣接する同士で基台２ｃ表面からの高さ方向に差が生じるようにして配置される。例えば図の用紙ガイド５ｇは基台表面からの高さがｔ３であり、用紙ガイド５ｆは高さがｔ２であり、用紙ガイド５ｅは高さがｔ１である。これらの用紙ガイド５を各孔４に連結すると、夫々の孔４ｅ、４ｆ、４ｇが穿たれた側面と直交する面に設けた用紙ガイド受け面９ｅ、９ｆ、９ｇによって一方側の回転が規制される。この規制された受け面での位置を用紙ガイド５の位置とすれば、各用紙ガイド５はθ１、θ２、θ３の角度を持つことになる。【００２４】  一方、用紙ガイド受け面９ｅ、９ｆ、９ｇの反対方向には用紙ガイド５の回転を止める障害物がない。従がって各用紙ガイド５を図９Ａで時計方向に回転させたとすれば基台２ｃの表面に接触するまで回転する。図７と図９Ａで基台２ｃ表面に設けた凹状の用紙ガイド収容部１０は、回転してきた用紙ガイド５が基台表面と接触する位置でその用紙ガイドを収容する部分である。図９Ｂはその収容した状態を示している。
この図Ｂにおいで点線で示した用紙ガイド５ｅは、受け面９ｅの位置から（角θ１＋約９０度）回転して基台２ｃの用紙ガイド収容部１０に収容される。用紙ガイド５ｆと５ｇも、受け面９ｆと９ｇの位置から（角θ２＋約９０度）、（角θ３＋約９０度）回転して基台２ｃの用紙ガイド収容部１０に収容される。但し、この図Ｂに点線で示した各用紙ガイド５の位置は、その設置角θを図９Ａのθより大きくしてあり、夫々が側面から見たとき図のように交差する角度として強調したものとなっている。このような用紙ガイド５が収容部１０に収容されたとき、また用紙ガイド５が受け面９位置でその位置が規定されているときの状態を確保するため、各側面孔位置には回転規制具１１が取り付けられる。【００２５】  図９Ｃは基台２ｃの各側面孔４ｅ、４ｆ、４ｇ位置に取り付けて固定した回転規制具１１の説明図で、左右の側面孔には勝手違いの規制具１１が取り付けられる。同図は側面孔４ｅ２に対応して取り付けた規制具１１ｅ２を示していて、中心部に穴を設けたベース板１２ｅ２と、このベース板１２ｅ２に固定した２つの突起１３ｅ２、１４ｅ２で構成される。規制具１１ｅ２の反対側の側面孔４ｅ１に固定される規制具１１ｅ１のベース板１２ｅ１には、突起１３ｅ１、１４ｅ１が固定されるが前記の様に勝手違いの位置となる。用紙ガイド５ｅはベース板１２ｅの穴を通して孔４ｅと連結し回転する。このときこの２つの突起１３ｅ、１４ｅを乗り越えて回転し、その位置が規定される。例えば用紙ガイド５ｅは、その受け面９ｅ位置にあるとき左右の突起１３ｅ１、１３ｅ２によってその位置が規定され原稿７方向に圧力を加えている。そして原稿７を取り替えるとき、或いは原稿台１を携帯するようなとき、用紙ガイド５ｅを収容部１０方向に回転する。このとき用紙ガイド５ｅは最初の突起１３ｅ１、１３ｅ２に接触してそれを乗り越える。これはバネ材による用紙ガイド５ｅの両端部間が突起１３ｅの高さ分だけ開くことで処理される。最初の突起１３ｅを乗り越えた用紙ガイド５ｅは開いた両端部間を元に戻し、２つ目の突起１４ｅ１、１４ｅ２に向かう。そして両端部間を再度開いてそれを乗り越え、収容部１０に収容されて両端部間を元に戻す。収容部１０に収容された用紙ガイド５ｅは突起１４ｃ１、１４ｅ２によってその位置が規定され、以後その状態が維持される。
こうして用紙ガイド５ｅは角α分だけ回転する。この角αは前記した（角θ１＋約９０度）に相当するから、用紙ガイド５ｅの側面孔４ｅ１、４ｅ２にそれぞれ対応して取り付けられる回転規制具１１ｅの突起１３ｅ、１４ｅは、この角α分が得られるよう予め調整されてその位置が決定される。他の用紙ガイド５ｆ、５ｇの各側面孔４ｆ、４ｇ位置にも同様の回転規制具１１ｆ、１１ｇが取り付けられ、夫々必要な回転角が得られる位置に突起１３ｆ、１４ｇが設けられる。
上記のようにこの回転規制具１１は用紙ガイド５の位置を規制するためのものであるから、上記説明した例にこだわらず各種の例を採用することができる。特に規制具１１を設置固定する部分は狭小のスペースとなるため、２つの突起１３、１４を１つで代行させたり、ベース板１２の設置を省略して基台２に直接突起１３、１４を固定するなどの方法は有効である。【００２６】  図１０は図７の変形例を示した説明図である。この例は対をなす用紙ガイド取り付け片１５ｅ１と１５ｅ２、１５ｆ１と１５ｆ２、１５ｇ１と１５ｇ２が基台２ｄ表面に固着され、この取り付け片１５に用紙ガイド５ｅ、５ｆ、５ｇが取り付けられる。各対を成す取り付け片１５の夫々は、図Ｂの一部拡大図のように用紙ガイド挿入孔４ｅ、４ｆ、４ｇと用紙ガイド受け面１６ｅ、１６ｆ、１６ｇを持つ。そして対を成す取り付け片１５の各挿入孔４同士は間隔Ｌ５、Ｌ６、Ｌ７で配置される。
１番目の用紙ガイド５ｅは取り付け片１５ｅ１、１５ｅ２の孔４ｅ１と４ｅ２に挿入されて取り付けられ、２番目の用紙ガイド５ｆは２番目に位置する取り付け片１５ｆ１、１５ｆ２の孔４ｆ１と４ｆ２に挿入されて取り付けられ、３番目の用紙ガイド５ｇは３番目に位置する取り付け片１５ｇ１、１５ｇ２の孔４ｇ１と４ｇ２に挿入されて取り付けられる。取り付けられる夫々の用紙ガイド５ｅ、５ｆ、５ｇの両端部間距離は、取り付け片１５の孔４間距離Ｌ５、Ｌ６、Ｌ７よりも短めに作られていて、用紙ガイド５を孔４間に取り付けるときは、その両端部間を押し拡げるようにして挿入する。取り付け片１５の各用紙ガイド受け面１６ｅ、１６ｆ、１６ｇは、図１Ｃ、図９Ａで説明した受け面９ｅ、９ｆ、９ｇに相当し、θ１、θ２、θ３の角度が与えられている。
以上のようにこの原稿台１は、図７の側面孔４と受け面９を取り付け片１５として別に作成し、それを基台２ｄ上に対として固定するようにしたものである。この相違点の他は前記した図７、図８、図９と同じであるから、その説明は省略する。また取り付け片１５を別に作成するとき、取り付け片１５の材質を金属とすることで加工性や用紙ガイドによる磨耗を配慮することが出来る。同様に図７Ａの側面孔４を穿った階段面とそれに直交する受け面９とを、左右の側面ごとに金属板で予め作成し、それを基台２ｃに取り付け固定するようにすれば用紙ガイドの回転による磨耗に対処することが出来る。【００２７】  上記してきたようにこの実施例による原稿台１は、基台２ｃの側面に設けた孔４、或いは基台２ｄの表面に固定した取り付け片１５の孔４に用紙ガイド５を連結して構成される。取り付けた用紙ガイド５は孔４を中心として回転し、用紙ガイド受け面９、１６でその一方の位置が規制される。不使用時あるいは携帯時にはこの受け面９、１６位置から基台表面位置まで用紙ガイド５を回転し、基台２上に折りたたむ。使用時には用紙ガイドを逆方向に回転して受け面９、１６位置に規定する。このように折りたたみ自在としたことがこの実施例の特徴となる。【００２８】  図１１はもう１つの変形例を示す説明図で、Ａは斜視図、Ｂは図Ａの一部拡大図である。図は２つの用紙ガイド５ｈ、５ｋを基台２ｈに連結した例となっていて、その特徴は図１０Ａに示した一対の用紙ガイド取り付け片、例えば１５ｅ１、１５ｅ２を１つの取り付け片１７ｈとして作成し、これを複数、列状にして基台２ｈに取り付けるようにしたことである。以下図に基づいて説明する。基台２ｈの後方には２つの用紙ガイド取り付け片１７ｈ、１７ｋが設けられる。一方の取り付け片１７ｋは図１０Ａの一対の用紙ガイド取り付け片、例えば１５ｆ１、１５ｆ２に相当し、基台２ｈと一体に構成されている。他方の取り付け片１７ｈは後から基台２ｈに固着するようにしたもので後に詳しく説明する。取り付け片１７ｋは全体が基台２ｈ表面より凸状になって形成され、高さｔ２の用紙ガイド５ｋ端部先端が９０度折り曲げられて一対の孔４ｋ１、４ｋ２に挿入される。この凸状取り付け片１７ｋと基台２ｈ表面の境は円弧状になっていて、しかも傾斜を持った壁面１８ｋとなっている。この壁面１８ｋが前述した用紙ガイド受け面として機能する。従がって壁面１８ｋには図１０Ａの取り付け片１５ｆの受け面１６ｆと同じθ２の角度が与えられ、用紙ガイド５ｋが孔４ｋに挿入されて基台２ｈと連結されれば、壁面（受け面）１８ｋが持つ角度θ２で用紙ガイド５ｋの位置が規定される。但し、図では用紙ガイド受け面としての壁面１８ｋに２つの刻み目１９ｋ１、１９ｋ２を設けてあり、この刻み目１９内に用紙ガイド５ｋの端部を収容するようにしている。そのため用紙ガイド５ｋの端部先端は刻み目１９ｋより孔４ｋ１、４ｋ２に挿入されることになり、刻み目１９ｋ内に用紙ガイド５ｋの端部が収容されると、用紙ガイド全体は受け面１８ｋと同じ角度θ２としてある刻み目１９ｋの内部後面によってその位置が規定される。【００２９】  刻み目１９は図９で説明した回転規制具１１として作用する。２つの刻み目１９ｋ１、１９ｋ２間の距離はＬ８（図１０ＡのＬ６）であり、用紙ガイド５ｋの両端部間の距離は予めＬ８より長めに作られていて、これを孔４ｋ１、４ｋ２に挿入するときは両端部間を縮めるようにして刻み目１９ｋに挿入する。すると用紙ガイド５ｋの両端部は圧縮した方向とは逆方向の反発力が発生し、それが基台２ｈに対する圧力となって用紙ガイド５ｋの連結力となる。用紙ガイド５ｋの両端部が刻み目１９ｋ内に位置しているときは、前記反発力は刻み目１９ｋ内で規制されているが、用紙ガイド５ｋを図の矢印２０方向に回転し基台２ｈ表面端に近づけ行くと、用紙ガイド両端部は刻み目１９ｋ内より徐々に開放されていく。それに応じて前記反発力が作用し両端部間は押し拡げられながら基台２ｈ表面上に位置し回転が停止する。このときの用紙ガイド５ｋを図に点線で示した。用紙ガイド５ｋを矢印２０と逆方向に回転して刻み目１９ｋ方向に戻していくと、用紙ガイド５ｋの両端部は徐々に刻み目１９ｋ内に収容されていき、最終的には刻み目１９ｋ内で反発力が規制されながら回転を停止する。このとき角度θ２が確保される。従がって用紙ガイドｆ５ｋは一対の孔４ｋ１、４ｋ２にその端部が挿入されて回転自在となるが、刻み目１９ｋによってその一方の回転は規制され、さらにこの刻み目１９ｋによって用紙ガイドは刻み目１９ｋ内に位置しているときと、外れているときの位置が確保される。この２つの位置は原稿台１として使用するときの用紙ガイド５ｋ位置と、基台２ｈ上に用紙ガイドを折りたたんで携帯するときの位置をとなり、図９で説明した回転規制具１１と同様の作用となる。【００３０】  次にもう１つの用紙ガイド取り付け片１７ｈについて説明する。この取り付け片１７ｈは金属の薄板で側断面が三角形状になるよう作られる。三角形状の１つの面は底部として基台２ｈにビスなどで固着される面となり、もう１つの面は用紙ガイド受け面１８ｈとなる。この受け面１８ｈは前記した取り付け片１７ｋの受け面１８ｋと同じように正面側を向くよう配置され、しかも基台２ｈ表面に対してθ１の角度となるよう形成される。取り付け片１７ｈの残りの一面は取り付け片１７ｋの受け面１８ｋと対向するよう位置づけられ、それによって図１０Ａの溝３ｅ１に相当する間隔を作り出す。この作り出された間隔、即ち溝３ｅ１に原稿７を設置収容すれば、受け面１７ｋに与えられた円弧によって原稿７は変形し、それが張力として作用する。
受け面１８ｈの基台２ｈと接する側には一対の円筒部２１ｈ１、２１ｈ２が設けられ、用紙ガイド端部挿入用の孔４ｈ１、４ｈ２が作られる。この孔４ｈ１、４ｈ２には高さｔ１の半円状用紙ガイド５ｈの端部先端が９０度折り曲げられるようにして挿入されるが、孔４ｈ１、４ｈ２間の距離はＬ９（図１０ＡのＬ５）として設けられる。用紙ガイド５ｈの両端部間の距離は予めこのＬ９より長めに作られていて、孔４ｈ１、４ｈ２に挿入するときは両端間隔を縮めるようにして挿入する。これによって用紙ガイド５ｈの両端部は圧縮した方向とは逆方向の反発力が発生し、それが取り付け片１７ｈに対する圧力となって用紙ガイド５ｈの連結力となる。こうして連結された用紙ガイド５ｈは受け面１８ｈが持つ角度θ１でその位置が規定されるが、この規定された用紙ガイド５ｈを図の矢印２０方向に回転し基台２ｈ表面に近づけていくと、用紙ガイド両端部は挿入孔４ｈに付随して設けた切り欠き部２３ｈの作用を受ける。この切り欠き部２３ｈは回転規制具１１ｈとして機能するが、以下に図１１Ｂを用いて説明する。【００３１】  図において用紙ガイド受け面１８ｈの基台２ｈ側は３つの円筒部２１ｈ１、２１ｈ２、２１ｈ３に分割される。図で右側の円筒部２１ｈ１は用紙ガイド挿入孔４ｈ１となり、左側の円筒部２１ｈ２は挿入孔４ｈ２となり、中央の円筒部２１ｈ３は左右の円筒部２１ｈ１、２１ｈ２に挿入された用紙ガイド５ｈの両端部が図の矢印２２方向に一定量以上移動するのを制限するストッパとなる。左右の円筒部２１ｈ１、２１ｈ２には夫々その一端を切り欠いた切り欠き部２３ｈ１、２３ｈ２が設けられる。受け面１７ｈ上にθ１で位置づけられていた用紙ガイド５ｈを図１１Ａの矢印２０方向に回転すると、用紙ガイド５ｈは受け面１８ｈ位置から離れて徐々に基台２ｈ表面側に移動していく。すると用紙ガイド５ｈの両端部５ｈ１、５ｈ２は円筒部２１ｈ１、２１ｈ２内で回転し、切り欠き部２３ｈによってその回転が一旦停止する。回転が一旦停止した端部のうち、一方の端部５ｈ１は図で左方に圧縮されながら移動し、切り欠き部２３ｈ１を乗り越えて円筒部２１ｈ１と中間円筒部２１ｈ３間に移動して停止する。実際には切り欠き部２３ｈ１で一旦停止させることなく連続動作として円筒部２１ｈ１、２１ｈ３間に移動させる。この状態にあるときの端部５ｈ１を図に点線で示した。他方の用紙ガイド端部５ｈ２も端部５ｈ１の回転に応じて円筒部２１ｈ２内で回転し、切り欠き部２３ｈ２によってその回転が一旦停止する。次いで図で右方に圧縮されながら移動し、この切り欠き部２３ｈ２を乗り越え円筒部２１ｈ２と中間円筒部２１ｈ３間に移動して停止する。この状態にあるときの端部５ｈ２を図に点線で示した。
こうして円筒部２１ｈ１、２１ｈ２と中間円筒部２１ｈ３間に位置した両端部５ｈ１、５ｈ２を基台２ｈ表面と接するまで回転すれば、基台２ｈ面上で図１１Ａの点線のように位置規定される。このように用紙ガイド５ｈ２は、回転開始時から基台２ｈ表面で位置が規定されるまでの間に、回転開始時のθ１の角度で位置しているとき、切り欠き部２３ｈ１、２３ｈ２によって回転が一旦停止されたとき、左右の円筒部２１ｈ１、２１ｈ２と中間円筒部２１ｈ３間の位置にあるときの３つ位置を得ることが出来る。
用紙ガイド５ｈを基台２ｈ表面から図Ａの矢印２０方向とは逆方向に回転する場合は、用紙ガイドはまず円筒部２１ｈ１、２１ｈ２と中間円筒部２１ｈ３間の位置から切り欠き部２３ｈ１、２３ｈ２の位置に進み、その間隔を拡げて一旦停止する。ついでその切り欠き部２３ｈ位置で回転させれば当初の位置に戻り回転と移動が停止する。従がってこの場合も左右の円筒部２１ｈ１、２１ｈ２と中間円筒部２１ｈ３間の位置にあるとき、切り欠き部２３ｈ１、２３ｈ２の位置にあるとき、回転開始時のθ１の位置に戻ったとき、の３つ位置を得る。
上記のようにこの用紙ガイド取り付け片１７ｈの場合も、円筒部２１とその切り欠き部２３などによって回転規制具１１が形成され、用紙ガイド５ｈの回転と位置を規制する。【００３２】  以上のようにこの図１１による原稿台１は、基台２ｈの表面に複数の用紙ガイド取り付け片１７ｈ、１７ｋを配置し、この取り付け片１７ごとに設けた一対の孔４ｈ１と４ｈ２、４ｋ１と４ｋ２に用紙ガイド５ｈ、５ｋを連結して構成する。取り付けた用紙ガイド５ｈ、５ｋは孔４ｈ、４ｋを中心として回転し、用紙ガイド受け面１８ｈ、１８ｋでその一方の位置が規制される。不使用時あるいは携帯時にはこの受け面１８ｈ、１８ｋ位置から基台２ｈ表面位置まで用紙ガイド５を回転する。この回転によっで用紙ガイド５は基台２ｈ上で折りたたまれたようになる。使用時には用紙ガイドを逆方向に回転させればよい。
このように１つの用紙ガイド取り付け片１７に、折りたたみ自在とした用紙ガイド５を連結するようにしたことがこの例の特徴となっている。図ではこの取り付け片のうち、一方は基台２ｈと一体にした凸状の取り付け片１７ｋとし、他方の取り付け片１７ｈは金属板で三角状に形成したものを基台２ｈに取り付けて固着するようにしている。しかし凸状取り付け片１７ｋを他方の取り付け片１７ｈと同様に金属板で形成し、それを基台２ｈに取り付けて固着するようにしても良いことは自明である。【００３３】  以上、図の実施例に基づいて説明してきたが、その内容はいずれもパソコンなどで文章を作成するときに使用する原稿台１の説明となっている。しかし本願による原稿台は、例えば家族や風景などの写真を立てておく写真立てや、食堂などで使用するメニュウを立てておく台、会議室などで使用する名前やカードを立てておく台などとしても使用することが出来る。また基台２や用紙ガイド５の大きさや厚さは前記した例だけにこだわらずに、原稿７のサイズ、重量、などによって選択して使用することが出来る。
【図面の簡単な説明】
【００３４】
【図１】本発明による原稿台の説明図。
【図２】用紙ガイドの説明図。
【図３】原稿台に原稿を設置収容するときの説明図。
【図４】原稿と用紙ガイドの関係を示す説明図。
【図５】図１の変形例を示す説明図。
【図６】用紙ガイドの各種例を示す説明図。
【図７】実施例２の説明図。
【図８】用紙ガイドの説明図。
【図９】用紙ガイドと用紙ガイド受け面の説明図。
【図１０】図７の変形例を示す説明図。
【図１１】図１０の変形例を示す説明図。
【符号の説明】
【００３５】  １・・・原稿台    ２・・・基台    ３・・・溝    ４・・・孔    ５・・・用紙ガイド    ７・・・原稿    ９・・・用紙ガイド受け面    １０・・・用紙ガイド収容部    １１・・・回転規制具    １３・・・突起    １４・・・突起    １５・・・用紙ガイド取り付け片    １６・・・用紙ガイド受け面    １７・・・用紙ガイド取り付け片    １８・・・用紙ガイド受け面    １９・・・刻み目    ２１・・・円筒部    ２３・・・きり欠き部
【図１】
0003128533.tif 000003
【図２】
0003128533.tif 000004
【図３】
0003128533.tif 000005
【図４】
0003128533.tif 000006
【図５】
0003128533.tif 000007
【図６】
0003128533.tif 000008
【図７】
0003128533.tif 000009
【図８】
0003128533.tif 000010
【図９】
0003128533.tif 000011
【図１０】
0003128533.tif 000012
【図１１】
0003128533.tif 000013